(57)【要約】      （修正有）【課題】広げられた状態で保管及び携帯することができ、使用時に簡単に折り曲げて内部空間部を形成させて簡便に利用することができ、さらに取っ手部を形成させて便利に使用できる使い捨て紙食器を提供する。【解決手段】底部１１０と、前記底部１１０から延長されて立ち上がった状態に維持された側部１２０を含み、前記底部１１０と側部１２０により内容物を収容及び保管できる空間部が形成され、前記底部１１０及び側部１２０は一枚の紙からなり、前記側部１２０は底部１１０から延長された両側を折り曲げてから広げることによって前記底部１１０から立ち上がった状態が維持される。【選択図】図１
2017094080.tif 000002
【特許請求の範囲】
【請求項１】
底部と、
前記底部から延長されて立ち上がった状態に維持された側部を含み、
前記底部及び側部により内容物を収容及び保管できる空間部が形成され、
前記側部は、向き合う対向面が互いに対応する第１側部、第２側部、第３側部及び第４側部と、前記第１側部、第２側部、第３側部及び第４側部をそれぞれ連結する第１連結側部、第２連結側部、第３連結側部、第４連結側部を含み、
前記第１連結側部は前記第１側部と第２側部間を連結し、前記第２連結側部は第２側部と第３側部間を連結し、前記第３連結側部は第３側部と第４側部間を連結し、前記第４連結側部は前記第４側部と第１側部間を連結し、
前記底部及び側部は一枚の紙からなり、前記側部は前記底部から延長された両側を折り曲げてから広げることによって前記底部から立ち上がった状態が維持される
ことを特徴とする使い捨て紙食器。
【請求項２】
前記側部から延長された水平方向に延長された取っ手部を備える
請求項１に記載の使い捨て紙食器。
【請求項３】
前記取っ手部は、前記底部から延長されて折り曲げてから広げられた両側と直交方向に位置した両側に形成される
請求項２に記載の使い捨て紙食器。
【請求項４】
前記側部は、互いに対向する両側を前記底部の両端部を基準として前記底部の内側に向かって折り曲げ、重ねられた両側の側部において角部を前記底部側に折り曲げ、前記底部の内側に向かって折り曲げられた側部を再び反対側に折り曲げて前記角部をカバーし、前記カバーされた両側部を前記底部の外側に広げて前記側部が立ち上がる
請求項１に記載の使い捨て紙食器。
【発明の詳細な説明】
【技術分野】
【０００１】
本発明は、使い捨て紙食器に関するもので、詳細には、広げられた状態で保管及び携帯することができ、使用時に簡単に折り曲げて利用できる使い捨て紙食器に関するものである。
【背景技術】
【０００２】
従来の使い捨て紙コップや紙皿は紙を圧着するか特殊に折って２次加工するもので、その原反は高価の原料を輸入して作る高級紙を使用し、機械で別途加工しなければならないため、使い捨てにするには生産費が高く、食器として使うには物性や質感が適合でなかった。
【０００３】
また、紙を２次加工して紙コップなどを製造する方法は流線型の容器や特殊な形の容器を加工するにはその製造に限界があった。
【０００４】
また、使い捨て食器として紙の代わりにスチロフォームなどの合成樹脂で作った使い捨ての皿や容器が広く利用されているが、これは製造過程中に化学薬品の使用で発癌の原因となるダイオキシンのような有害物質が検出されるなど、その危険性がたびたび問題となってきただけでなく、一度使ってから捨てた時に腐らないため公害の原因となり、また建築用化学断熱材の場合、火災が発生した時に毒ガスを排出するため窒息死の原因となる問題点がある。
【先行技術文献】
【特許文献】
【０００５】
【特許文献１】登録実用新案第２０−０４２４０２８号
【発明の概要】
【発明が解決しようとする課題】
【０００６】
本発明は、広げられた状態で保管及び携帯することができ、使用時に簡単に折り曲げて内部空間部を形成させて簡便に利用することができ、さらに取っ手部を形成させて便利に使用できる使い捨て紙食器を提供することを課題とする。
【課題を解決するための手段】
【０００７】
本発明の一実施例に係る使い捨て紙食器は、底部と、前記底部から延長されて立ち上がった状態に維持された側部を含み、前記底部と側部により内容物を収容及び保管できる空間部が形成され、前記側部は向き合う対向面が互いに対応する第１側部、第２側部、第３側部及び第４側部と、前記第１側部、第２側部、第３側部及び第４側部をそれぞれ連結する第１連結側部、第２連結側部、第３連結側部、第４連結側部を含み、前記第１連結側部は前記第１側部と第２側部間を連結し、前記第２連結側部は第２側部と第３側部間を連結し、前記第３連結側部は第３側部と第４側部間を連結し、前記第４連結側部は前記第４側部と第１側部間を連結し、前記底部及び側部は一枚の紙からなり、前記側部は底部から延長された両側を折り曲げてから広げることによって前記底部から立ち上がった状態が維持される。
【０００８】
また、本発明の一実施例に係る使い捨て紙食器は前記側部から延長された水平方向に延長された取っ手部をさらに含むことができる。
【０００９】
また、本発明の一実施例に係る使い捨て紙食器の前記取っ手部は、前記底部から延長されて折り曲げてから広げられた両側と直交方向に位置した両側に形成され得る。
【００１０】
また、本発明の一実施例に係る使い捨て紙食器において、前記側部は互いに対向する両側を底部の両端部を基準として前記底部の内側に向かって折り曲げ、重ねられた両側の側部において角部を前記底部側に折り曲げ、前記底部の内側に向かって折り曲げられた側部を再び反対側に折り曲げて前記角部をカバーし、前記カバーされた両側部を前記底部の外側に広げて前記側部が立ち上がる。
【発明の効果】
【００１１】
本発明によれば、広げられた状態で保管及び携帯することができ、使用時に簡単に折り曲げて内部空間部を形成させて簡便に利用することができ、さらに取っ手部を形成させて便利に使用できる使い捨て紙食器を得ることができる。
【図面の簡単な説明】
【００１２】
【図１】本発明の第１実施例に係る使い捨て紙食器の概略的な構成図
【図２】図１に図示した使い捨て紙食器の概略的な展開図
【図３】図２に図示した使い捨て紙食器の展開図を利用して使い捨て紙食器を作る過程を概略的に図示した使用状態図
【図４】図２に図示した使い捨て紙食器の展開図を利用して使い捨て紙食器を作る過程を概略的に図示した使用状態図
【図５】図２に図示した使い捨て紙食器の展開図を利用して使い捨て紙食器を作る過程を概略的に図示した使用状態図
【図６】図２に図示した使い捨て紙食器の展開図を利用して使い捨て紙食器を作る過程を概略的に図示した使用状態図
【図７】図２に図示した使い捨て紙食器の展開図を利用して使い捨て紙食器を作る過程を概略的に図示した使用状態図
【図８】図２に図示した使い捨て紙食器の展開図を利用して使い捨て紙食器を作る過程を概略的に図示した使用状態図
【図９】図２に図示した使い捨て紙食器の展開図を利用して使い捨て紙食器を作る過程を概略的に図示した使用状態図
【図１０】図２に図示した使い捨て紙食器の展開図を利用して使い捨て紙食器を作る過程を概略的に図示した使用状態図
【図１１】本発明の第２実施例に係る使い捨て紙食器の概略的な構成図
【図１２】図１１に図示した使い捨て紙食器の概略的な展開図
【図１３】図１２に図示した使い捨て紙食器の展開図を利用して使い捨て紙食器を作る過程を概略的に図示した使用状態図
【図１４】図１２に図示した使い捨て紙食器の展開図を利用して使い捨て紙食器を作る過程を概略的に図示した使用状態図
【図１５】図１２に図示した使い捨て紙食器の展開図を利用して使い捨て紙食器を作る過程を概略的に図示した使用状態図
【図１６】図１２に図示した使い捨て紙食器の展開図を利用して使い捨て紙食器を作る過程を概略的に図示した使用状態図
【図１７】図１２に図示した使い捨て紙食器の展開図を利用して使い捨て紙食器を作る過程を概略的に図示した使用状態図
【図１８】図１２に図示した使い捨て紙食器の展開図を利用して使い捨て紙食器を作る過程を概略的に図示した使用状態図
【図１９】図１２に図示した使い捨て紙食器の展開図を利用して使い捨て紙食器を作る過程を概略的に図示した使用状態図
【図２０】図１２に図示した使い捨て紙食器の展開図を利用して使い捨て紙食器を作る過程を概略的に図示した使用状態図
【発明を実施するための形態】
【００１３】
本発明の利点及び特徴、そして、それらを達成する方法は添付される図面とともに詳細に後述される実施例を参照すれば明確になる。
【００１４】
しかし、本発明は以下で開示される実施例に限定されるものではなく、互いに異なる多様な形態で具現される。
【００１５】
本明細書において、本実施例は本発明の開示を完全とし、本発明が属する技術分野で通常の知識を有した者に発明の範疇を完全に知らせるために提供されるものである。そして、本発明は請求項の範疇によって定義される。
【００１６】
したがって、実施例において、広く知られた構成要素、動作及び技術は、本発明が曖昧に解釈されることを避けるために具体的に説明しない。
【００１７】
明細書全体にわたって、同一の参照符号は同一の構成要素を指し示す。そして、本明細書に用いられた（言及された）用語は実施例を説明するためのものに過ぎず、本発明を制限するものではない。
【００１８】
本明細書において、単数型は特に言及しない限り複数型も含む。また、「含む（または具備）」と言及された構成要素及び動作（作用）は一つ以上の他の構成要素及び動作の存在または追加を排除しない。
【００１９】
特に定義されない限り、本明細書に用いられるすべての用語（技術及び科学的用語を含む）は本発明が属する技術分野で通常の知識を有した者に共通して理解できる意味で用いられる。
【００２０】
また、一般的に使用される辞書に定義されている用語は、特に定義されていない限り、理想的または過度に解釈されない。
【００２１】
以下、添付図面を参照して本発明の好ましい実施例を説明する。
【００２２】
図１は本発明の第１実施例に係る使い捨て紙食器の概略的な構成図である。図示した通り、前記使い捨て紙食器１００は底部１１０及び側部１２０を含む。また、前記側部１２０は前記底部１１０から延長されて立ち上がった状態で維持される。
【００２３】
そして、前記側部１２０は向き合う対向面が互いに対応する第１側部１２０ａ、第２側部１２０ｂ、第３側部１２０ｃ及び第４側部１２０g’を含む。
【００２４】
また、前記側部１２０は前記第１側部１２０ａ、第２側部１２０ｂ、第３側部１２０ｃ及び第４側部１２０ｄをそれぞれ連結する第１連結側部１２０ｅ、第２連結側部１２０ｆ、第３連結側部１２０ｇ、第４連結側部１２０ｈをさらに含む。
【００２５】
そして、第１連結側部１２０ｅは前記第１側部１２０ａと第２側部１２０ｂの間を連結し、前記第２連結側部１２０ｆは第２側部１２０ｂと第３側部１２０ｃの間を連結し、前記第３連結側部１２０ｇは第３側部１２０ｃと第４側部１２０ｄの間を連結し、前記第４連結側部１２０ｈは前記第４側部１２０ｄと第１側部１２０ａの間を連結する。
【００２６】
また、前記第１側部１２０ａ、第２側部１２０ｂ、第３側部１２０ｃ及び第４側部１２０ｄは全体的に三角形状でなされるか、下部が底部１１０から延長された広い面からなり、上部が狭い面からなる台形の形状で形成され得る。
【００２７】
また、前記第１連結側部１２０ｅ、第２連結側部１２０ｆ、第３連結側部１２０ｇ、第４連結側部１２０ｈは逆三角形状で形成され得る。
【００２８】
前記したように形成されることによって、底部１１０及び側部１２０を通じて前記使い捨て紙食器１００は内部に内容物を収容及び保管できる空間部（Ｃ）が形成される。
【００２９】
図２は図１に図示した使い捨て紙食器の概略的な展開図である。図示した通り、前記使い捨て紙食器１００は底部１１０と側部１２０を含む。
【００３０】
そして、前記側部１２０は空間部（Ｃ）が形成されるように、点線で図示した部分が折り曲げられて前記底部１１０から延長された状態で立ち上がる。
【００３１】
以下、図３〜１０を参照して、展開図から図１に図示した本発明の第１実施例に係る使い捨て紙食器が形成される過程についてより詳細に説明する。
【００３２】
まず、図３に図示した通り、第１側部１２０ａ、第１連結側部１２０ｅ及び第４連結側部１２０ｈを形成するために底部１１０を中心に点線（ａ）に沿って折り曲げる。次いで、図４に図示した通り、点線（ｂ）を基準として両縁部を折り曲げる。
【００３３】
次いで、図５に図示した通り、点線（ｃ）を基準として折り曲げられた側部を再び反対方向に折り曲げる。
【００３４】
次いで、第３側部１２０ｃ、第２連結側部１２０ｆ及び第３連結側部１２０ｇを形成するために底部１１０を中心に点線（ｄ）に沿って折り曲げる。
【００３５】
より具体的に、図６に図示した通り、前記底部１１０を中心に反対側部を点線（ｄ）に沿って折り曲げる。これによって、図７に図示したように形成され、図８に図示したように、点線（ｅ）を基準として両縁部を折り曲げる。
【００３６】
そして、図９に図示した通り、点線（ｆ）を基準として折り曲げられた側部を再び反対方向に折り曲げる。
【００３７】
次いで、図１０に図示した通り、折り曲げられた側端部（ｇ）を両側に広げると図１に図示した使い捨て紙食器が完成される。
【００３８】
すなわち、前記した通り、底部１１０を中心に両側を折り曲げて再び広げることによって底部から立ち上がった第１側部１２０ａ、第１連結側部１２０ｅ及び第４連結側部１２０ｈと、第３側部１２０c、第２連結側部１２０ｆ及び第３連結側部１２０ｇが形成され、これに連動して第２側部１２０ｂと第４側部１２０ｄが立ち上がる。
【００３９】
図１１は本発明の第２実施例に係る使い捨て紙食器の概略的な構成図である。図示した通り、前記使い捨て紙食器２００は、底部２１０、側部２２０及び取っ手部２３０を含む。また、前記側部２２０は前記底部２１０から延長されて立ち上がった状態で維持される。
【００４０】
また、前記取っ手部２３０は立ち上がるように延長された前記側部２２０から水平方向に延長される。これによって、前記使い捨て紙食器２００は第１実施例に係る使い捨て紙食器１００と同じように、内部に内容物を収容及び保管できる空間部（Ｃ）が形成された状態で取っ手部２３０がさらに形成される。
【００４１】
より具体的に、前記側部２２０は向き合う対向面が互いに対応する第１側部２２０ａ、第２側部２２０ｂ、第３側部２２０ｃ及び第４側部２２０ｄを含む。
【００４２】
また、前記側部２２０は前記第１側部２２０ａ、第２側部２２０ｂ、第３側部２２０ｃ及び第４側部２２０ｄをそれぞれ連結する第１連結側部２２０ｅ、第２連結側部２２０ｆ、第３連結側部２２０ｇ、第４連結側部２２０ｈをさらに含む。
【００４３】
そして、第１連結側部２２０ｅは前記第１側部２２０ａと第２側部２２０ｂの間を連結し、前記第２連結側部２２０ｆは第２側部２２０ｂと第３側部２２０ｃの間を連結し、前記第３連結側部２２０ｇは第３側部２２０ｃと第４側部２２０ｄの間を連結し、前記第４連結側部２２０ｈは前記第４側部２２０ｄと第１側部２２０ａの間を連結する。
【００４４】
また、前記第１側部２２０ａ、第２側部２２０ｂ、第３側部２２０ｃ及び第４側部２２０ｄは下部が底部２１０から延長された広い面からなり、上部が狭い面からなる台形の形状で形成され、前記第１連結側部２２０ｅ、第２連結側部２２０ｆ、第３連結側部２２０ｇ、第４連結側部２２０ｈは逆三角形状で形成され得る。
【００４５】
図１２は図１１に図示した使い捨て紙食器の概略的な展開図である。
図示した通り、前記使い捨て紙食器２００は底部２１０と側部２２０を含む。
【００４６】
そして、前記側部２２０は空間部（Ｃ）が形成されるように点線で図示した部分が折り曲げられて前記底部２１０から延長された状態で立ち上がる。
【００４７】
図１３〜２０は、図１２に図示した使い捨て紙食器の展開図を利用して使い捨て紙食器を作る過程を概略的に図示した使用状態図である。
【００４８】
まず、図１３に図示した通り、第１側部２２０ａ、第１連結側部２２０ｅ及び第４連結側部２２０ｈを形成するために底部２１０を中心に点線（ａ’）に沿って折り曲げる。次いで、図１４に図示した通り、点線（ｂ’）を基準として両縁部を折り曲げる。
【００４９】
次いで、図１５に図示した通り、点線（ｃ’）を基準として折り曲げられた側部を再び反対方向に折り曲げる。
【００５０】
次いで、第３側部２２０ｃ、第２連結側部２２０ｆ及び第３連結側部２２０ｇを形成するために底部１１０を中心に点線（ｄ’）に沿って折り曲げる。
【００５１】
より具体的に、図１６に図示したように、前記底部２１０を中心に反対側部を点線（ｄ’）に沿って折り曲げる。これによって、図１７に図示したように形成され、図１８に図示したように点線（ｅ’）を基準として両縁部を折り曲げる。
【００５２】
そして、図１９に図示した通り、点線（ｆ’）を基準として折り曲げられた側部を再び反対方向に折り曲げる。
【００５３】
次いで、図２０に図示した通り、折り曲げられた側端部（ｇ’）を両側に広げると図１１に図示した使い捨て紙食器が完成される。
【００５４】
前記した通り、第２実施例による使い捨て紙食器は取っ手部が形成されていない両側部である第１側部２２０ａ及び第３側部２２０ｃを折り曲げてから広げることによって立ち上がった状態を作り、これに連動して前記第２側部２２０ｂ及び第４側部２２０ｄは自動で立ち上がり、これによって内部空間部（ｃ）が形成される。
【００５５】
つまり、前記側部は互いに対向する両側を底部の両端部を基準として前記底部の内側に向かって折り曲げ、重ねられた両側の側部において角部を前記底部側に折り曲げ、前記底部の内側に向かって折り曲げられた側部を再び反対側に折り曲げて前記角部をカバーし、前記カバーされた両側部を前記底部の外側に広げて前記側部が立ち上がる。
【００５６】
このように形成されることによって、第２実施例に係る使い捨て紙食器２００は取っ手部が別途形成されることによって内容物を収容するとともにより便利に利用することができる。
【００５７】
また、本発明の第１及び第２実施例に係る使い捨て紙食器は、大きさを異ならせて多様な用途に合わせて使用することが可能であり、各種行事及び団体給食の場合に便利に利用することが可能である。
【００５８】
以上、添付された図面を参照して本発明の好ましい一実施例を説明したが、本発明が属する技術分野で通常の知識を有した者であれば、本発明がその技術的思想や必須の特徴を変更することなく他の具体的な形態で実施できる。したがって、前述した一実施例はすべての面において例示的なものであり、限定的なものではない。
【符号の説明】
【００５９】
１００：使い捨て紙食器
１１０：底部
１２０ａ：第１側部
１２０ｆ：第２連結側部
１２０ｂ：第２側部
１２０ｇ：第３連結側部
１２０ｃ：第３側部
１２０ｈ：第４連結側部
１２０ｄ：第４側部
１２０：側部
２００：使い捨て紙食器
２１０：底部
２２０ａ：第１側部
２２０ｆ：第２連結側部
２２０ｂ：第２側部
２２０ｇ：第３連結側部
２２０ｃ：第３側部
２２０ｈ：第４連結側部
２２０ｄ：第４側部
２２０：側部
２３０：取っ手部
【図１】
2017094080.tif 000003
【図２】
2017094080.tif 000004
【図３】
2017094080.tif 000005
【図４】
2017094080.tif 000006
【図５】
2017094080.tif 000007
【図６】
2017094080.tif 000008
【図７】
2017094080.tif 000009
【図８】
2017094080.tif 000010
【図９】
2017094080.tif 000011
【図１０】
2017094080.tif 000012
【図１１】
2017094080.tif 000013
【図１２】
2017094080.tif 000014
【図１３】
2017094080.tif 000015
【図１４】
2017094080.tif 000016
【図１５】
2017094080.tif 000017
【図１６】
2017094080.tif 000018
【図１７】
2017094080.tif 000019
【図１８】
2017094080.tif 000020
【図１９】
2017094080.tif 000021
【図２０】
2017094080.tif 000022